(57)【要約】【課題】  本発明は、たばこ等の小物商品の陳列台の組み立てを容易に行い、小物商品の陳列台からの取り出しを確実かつ円滑に行うとともに補填収容を迅速に行うことができる小物商品用陳列台を提供することを目的とする。【解決手段】  本発明は、底板４，４と上板７，７及び左右両側板３，３から成る単凾体１は相対接合する左右分割部材１９，１９から構成され、この左右分割部材は接合組立て後に単凾体の正面開口部２の左右両側板下端部に設けた突出部８，８と前記底板との間に弯形部９，９を形成し、前記正面開口部の一側部においては一方の突出部と上板の一部との間に弾条材１３を架設し、このように成る単凾体を任意場所に配置して成る小物商品用陳列台である。【選択図】    図２
2009261691.tif 000002
【特許請求の範囲】
【請求項１】
底板及び上板を有し左右両側板及び背面板から成る単凾体は相対接合する左右分割部材から構成され、この左右分割部材は接合組立て後に単凾体の正面開口部の左右両側板下端部に設けた突出部と前記底板との間に弯形部を形成し、前記正面開口部の一側部においては一方の突出部と上板の一部との間に弾条材を架設し、このように成る単凾体を任意場所に配置して成ることを特徴とする小物商品販売陳列台。
【請求項２】
単凾体の左右両側板部が多数の傾斜孔を開設して成る請求項１に記載した小物商品販売陳列台。
【発明の詳細な説明】
【技術分野】
【０００１】
本発明は、たばこ等の小物商品を什器に収容して販売する陳列台に関するものである。
【背景技術】
【０００２】
たばこ等の小物商品を収容する什器に関する陳列台にあっては、レジカウンターに隣接するテーブル上に設置する場合や、店舗のスペースによっては、天井吊り状態にした陳列台を利用しなければならない場合があったが、いずれの場合にあっても陳列している小物商品の自重落下方法によって、これを個別に販売する陳列台としては、従来次のような公知技術が見られる。
【０００３】
【特許文献１】登録実用新案第３０７５４６５号公報
【特許文献２】実公昭５０−６７８６号公報
【特許文献３】実公昭５０−７９１４号公報
【特許文献４】実公昭５２−１３９１３号公報
【０００４】
しかし、これらは、必ずしも両指を挿入しての取り出しがスムーズにできなかったり、不足商品の補填作業に手数がかかったりする欠点が存していた。
【発明の開示】
【発明が解決しようとする課題】
【０００５】
そこで、本発明にあっては、たばこ等の小物商品の陳列台の組み立てを容易に行い、小物商品を自重落下方法によって陳列台からの取り出しを１個単位でも確実にできるとともに複数個の補填収容も１回で迅速に行うことができ、販売陳列台の設置を店舗の広さや高さなどの状況に合わせて臨機応変に行うことができる利便性の高いものを提供することを目的とするものである。
【課題を解決するための手段】
【０００６】
本発明は、底板，上板及び左右両側板から成る単凾体は相対接合する左右分割部材から構成され、この左右分割部材は接合組立て後に単凾体の正面開口部の左右両側板下端部に設けた突出部と前記底板との間に弯形部を形成し、前記正面開口部の一側部においては一方の突出部と上板の一部との間に弾条材を架設し、このように成る単凾体を任意場所に配置して成る小物商品用陳列台である。
【発明の効果】
【０００７】
第１に、たばこ箱等の小物商品を積み重ねた状態で収容陳列する単凾体は左右対称の二分割部材の組み合わせから成り、この分割部材を相互対向して接合すれば１個の単凾体として組立てることができるものであるから、その製作は確実に量産加工することができ、また梱包輸送も小規模状態にして行うことができ、経済的にも優れたケースとなる。
【０００８】
第２に、単凾体の正面開口部の左右両側下端部には弯形部を形成しているから、両手指をはさんでの単凾体内部のたばこ箱等の１個宛抜き取り作用を容易かつ迅速に行うことができる。
【０００９】
第３に、単凾体の正面開口部の一側部寄りの上下間には弾条材を架設しているから、たばこ箱等の陳列商品の誤まった飛び出しを防止するとともにその弾発性によってその取り出し時や充填時には手指の甲で自由に押し出しながら作業することができ、その個数も所望に合わせて自由に決めることができる。
【００１０】
第４に、単凾体の左右両側板には傾斜孔が等間隔をおいて形成されているから、陳列商品の充填挿入は常に支障なくスムースに行うことができる。
【発明を実施するための最良の形態】
【００１１】
左右相対する二分割部材を接合して構成した単凾体内に、たばこ箱等の小物商品を多数個積み重ねた後、これを正面開口部の左右両側下端部の弯形部に両手指を挿入して１個宛抜き取る。抜き取った後は、小物商品の自重によって上方から１個宛下端位置に落下するようになる。
【００１２】
いま図３に示すように、単凾体内に一杯にたばこ箱を積重収容すると、最下位にあるたばこ箱の前端部分は、その後端部分が前記傾斜面板の影響によって、底板の前方部の前記左右両側板の弯形部よりやや前方にはみ出てずれているから、その上方に積み重ねられている上方のたばこ箱の後側部分は、やや傾斜面を形成して保持される状態になる。
【００１３】
また、積み重ね状態にあるたばこ箱等の小物商品は、単凾体の正面開口部の一側部寄りに上下間に架設している弾条材によって前方への飛び出しを阻止されるようになるし、また前記１個宛の抜き取り時には他商品への抑止力が作用して飛び出ないようになる。
【実施例】
【００１４】
１は全体が透明体で縦方向に長方形状に成るとともに正面が開口部２で左右両側板３，３及び背面板３’，３’から成る単凾体で、この単凾体の底板４，４の後端部には背面板３’，３’との間に４５°位の傾斜面板５を設け、前記底板４，４の前側中央部には凹溝６を形成する。
【００１５】
７，７は前記単凾体１の上板で、この上板と前記底板４，４との間の正面開口部２の左右両側板の下側部には、前方に突出する突出部８，８を設けるとともに底板４，４と左右両側板３，３との間には弯形部９，９を形成する。この両弯形部には片手の親指と人差指とが入り、たばこ箱等の小形商品ａを１個宛掴めるようになる。
【００１６】
１０，１０は前記突出部８，８の前側部に設けた縦形凹部で、この縦形凹部には例えば見本用のたばこ箱ａを収容するための展示凾１１の背面掛止部１２，１２を掛止めるようにする。この背面掛止部に代えて磁石による取付けも可能とする。
【００１７】
以上の単凾体１の構成は、図１に示しているように、正面視、左右両側部に二分割し得る部材１９，１９から成り、これを左右両側の左右両側板３，３部，平面の両上板７，７部，底面の両底板４，４部及び背面の両背面板３’，３’，部の中心部において、多数の雌雄の接合片２０・・，２１・・を嵌着し合うことによって一体的に組み立てられるものである。
【００１８】
陳列什器となる単凾体１は、このような左右の二分割部材１９，１９から構成されるものであるから、部材の製作も、梱包輸送も、合理的になされることになる。
【００１９】
１３は一方の前記上板７と一方の前記突出部８の一部との間に懸架する弾条材で、この弾条材は前記長方形の単凾体１に積重収容したたばこ箱等の小形商品が誤まって飛び出さないようにするストッパーの役割をする。
【００２０】
この弾条材１３は柔軟な弾発性を有するものであるから、手指をはさんで小形商品の取り出し時でも補填収容時でも自由に行うことができるようになる。
【００２１】
１４，１４は前記単凾体１の背面板３’，３’の上下部適所に設けた掛止部で、この掛止部は前後両側部に間隔をおいて設置している後記枠部材１８，１８’における吊棚の左右両側部間に架設した上下段のロッド１５，１５，１６，１６にそれぞれ掛け止めるようにする。
【００２２】
１７・・は前記単凾体１の左右両側板３，３に等間隔に形成した傾斜孔で、単凾体全体は透明体に成るが、傾斜孔の形状やその設けの有無は自由である。この傾斜孔１７にあっては、単凾体１の内部にたばこ箱等の小形商品ａを充填収容するときに、その挿入を支障なくスムースに行える効果がある。
【００２３】
図５，図６に示した実施例は、前側部と後側部とに分けた二層式ダウンウォール型の天井吊り式の陳列台である。１８は前側部の枠部材，１８’は後側部の枠部材で、各枠部材１８，１８’のロッド１５，１５，１６，１６に単凾体１の掛止部１４，１４を掛け止める。
【００２４】
前記前後の枠部材１８，１８’の正面部下端の各中央部には、引き手２２，２３を設ける。
【００２５】
たばこ箱等の小物商品の陳列手段としては、一実施例として図５，図６に示したダウンウォール型（この場合、図示のような二層式のほか三層式もある。）のほかに、図示はしないが跳ね上げ二層式やフック二層式や壁掛け式などが実施例として考えられるが、これは任意である。
【図面の簡単な説明】
【００２６】
【図１】単凾体部の斜視図
【図２】単凾体部の組立時の斜視図
【図３】単凾体部の使用時の斜視図
【図４】単凾体部の背面図
【図５】二層式ダウンウォール型構造体側の正面図
【図６】図５のＡ−Ａ断面図
【符号の説明】
【００２７】
１                    単凾体
２                    開口部
３，３                左右両側板
３’，３’            背面板
４，４                底板
５                    傾斜面板
６                    凹溝
７，７                上板
８，８                突出部
９，９                弯形部
１０，１０            縦形凹部
１１                  展示凾
１２，１２            背面掛止部
１３                  弾条材
１４，１４            掛止部
１５，１５            ロッド
１６，１６            ロッド
１７・・              傾斜孔
１８，１８’          枠部材
１９，１９            単凾体の分割部材
２０・・，２１・・    雌雄の接合部片
【図１】
2009261691.tif 000003
【図２】
2009261691.tif 000004
【図３】
2009261691.tif 000005
【図４】
2009261691.tif 000006
【図５】
2009261691.tif 000007
【図６】
2009261691.tif 000008
【手続補正書】
【提出日】平成20年5月1日(2008.5.1)
【手続補正１】
【補正対象書類名】明細書
【補正対象項目名】００２６
【補正方法】変更
【補正の内容】
【００２６】
【図１】単凾体部の斜視図
【図２】単凾体部の組立時の斜視図
【図３】単凾体部の使用時の斜視図
【図４】単凾体部の背面図
【図５】二層式ダウンウォール型構造体例の正面図
【図６】図５のＡ−Ａ断面図